(57)【要約】【課題】  複数の移動局に対して同一のＭＢＭＳデータを所定の伝送速度で送信するセルラシステムにおいて、リソースが限られている場合にＭＢＭＳデータ受信可能地域が最大となるようにデータ送信を行う。【解決手段】  標準電力でデータを送信しても合計送信電力がしきい値を超えない場合には、標準電力でデータ送信を行い、合計送信電力がしきい値を超える場合には、割当電力が最小電力以上となるときに限って、合計送信電力がしきい値と等しくなる割当可能電力でデータ送信を行う。【選択図】      図３
2008205869.tif 000002
【特許請求の範囲】
【請求項１】
複数のセルの各々において、基地局が所定の伝送速度で複数の移動局に同一のデータを送信するセルラシステムのデータ送信方法であって、
前記データ送信により前記セルにおけるリソース消費レベルが所定のしきい値を超えるときには、前記データ送信に使用するリソースを、前記リソース消費レベルが前記所定のしきい値と等しくなるように調整するステップと、
この調整したリソースを用いて前記データ送信を行うステップとを含むことを特徴とするデータ送信方法。
【請求項２】
前記複数のセルの間で同じ無線周波数を用いて同時に前記データ送信を行うことを特徴とする請求項１に記載のデータ送信方法。
【請求項３】
前記移動局において、複数の前記セルにおいて送信される前記データを受信してダイバーシチ合成するステップを、更に含むことを特徴とする請求項１または２に記載のデータ送信方法。
【請求項４】
前記複数のセルの各々において、前記調整したリソースが所定の下限値未満の場合には、前記データ送信を行わないようにしたことを特徴とする請求項１〜３いずれかに記載のデータ送信方法。
【請求項５】
前記リソース消費レベルが前記セルにおける基地局の合計送信電力であることを特徴とする請求項１〜４いずれかに記載のデータ送信方法。
【請求項６】
前記リソース消費レベルがパイロット信号またはデータの送信に用いるリソースブロックの使用率であることを特徴とする請求項１〜４いずれかに記載のデータ送信方法。
【請求項７】
複数のセルの各々において、基地局が所定の伝送速度で複数の移動局に同一のデータを送信するセルラシステムであって、
前記データ送信により前記セルにおけるリソース消費レベルが所定のしきい値を超えるときには、前記データ送信に使用するリソースを、前記リソース消費レベルが前記所定のしきい値と等しくなるように調整する手段と、
この調整したリソースを用いて前記データ送信を行う手段とを含むことを特徴とするセルラシステム。
【請求項８】
前記複数のセルの間で同じ無線周波数を用いて同時に前記データ送信を行うことを特徴とする請求項７に記載のセルラシステム。
【請求項９】
前記移動局において、複数の前記セルにおいて送信される前記データを受信してダイバーシチ合成する手段を、更に含むことを特徴とする請求項７または８に記載のセルラシステム。
【請求項１０】
前記複数のセルの各々において、前記調整したリソースが所定の下限値未満の場合には、前記データ送信を行わないようにしたことを特徴とする請求項７〜９いずれかに記載のセルラシステム。
【請求項１１】
前記リソース消費レベルが前記セルにおける基地局の合計送信電力であることを特徴とする請求項７〜１０いずれかに記載のセルラシステム。
【請求項１２】
前記リソース消費レベルがパイロット信号またはデータの送信に用いるリソースブロックの使用率であることを特徴とする請求項７〜１０いずれかに記載のセルラシステム。
【請求項１３】
複数のセルの各々において、基地局が所定の伝送速度で複数の移動局に同一のデータを送信するセルラシステムのデータ送信方法をコンピュータに実行させるためのプログラムであって、
前記データ送信により前記セルにおけるリソース消費レベルが所定のしきい値を超えるときには、前記データ送信に使用するリソースを、前記リソース消費レベルが前記所定のしきい値と等しくなるように調整する処理と、
この調整したリソースを用いて前記データ送信を行う処理とを含むことを特徴とするプログラム。
【発明の詳細な説明】
【技術分野】
【０００１】
本発明はデータ送信方法及びそれを用いたセルラシステムに関し、特にＭＢＭＳ（Multimedia Broadcast Multicast Service）のデータ送信方式に関するものである。
【背景技術】
【０００２】
セルラシステムにおいて、複数の移動局に対して同一のデータを送信するサービスが検討されており、その１つとして、ＷＣＤＭＡ方式におけるＭＢＭＳがある。ＭＢＭＳの参考文献としては、特許文献１や非特許文献１がある。
【０００３】
ＷＣＤＭＡ方式のセルラシステムにおいては、複数の基地局が存在し、各基地局は、１つまたは複数のセルを形成し、各々のセル内の移動局との通信を行う。セルの各々においては、１つの無線周波数が配置される。
【０００４】
ＭＢＭＳでは、共通チャネルを用いてデータ送信を行う場合と、複数の移動局の各々に対して個別チャネルを設定してデータ送信を行う場合とがある。共通チャネルを用いる場合には、共通チャネルであるＳＣＣＰＣＨ（Secondary Common Control Physical Channel ）を設定して、この設定されたＳＣＣＰＣＨを用いてデータ送信を行うようになっている。
【０００５】
また、ＭＢＭＳのサービスを提供する地域内においては、同一の無線周波数が配置された多数のセルにおいて同時にＭＢＭＳデータ送信が行われる。このとき、移動局では、複数のセルから送信されるデータを受信してダイバーシチ合成する、いわゆる“Selective Combining ”や“Soft Combining”という技術が用いられ、これによりＭＢＭＳデータの受信可能地域の割合を高めている。
【０００６】
ＷＣＤＭＡ方式のようなセルラシステムでは、１つのセルにおいて、ＭＢＭＳの他に、音声通信サービスや、ユーザ個別のパケット通信サービスが、個別チャネルであるＤＰＣＨ（Dedicated Physical Channel）を用いて提供される。基地局の上位に位置する無線ネットワーク制御装置であるＲＮＣ（Radio Network Controller）は、各セルにおいて提供している音声通信サービスやパケット通信サービスのトラヒック量に応じて、各セルの負荷であるセル負荷を計算し、そのセル負荷が所定のしきい値以下のときに、ＭＢＭＳデータの送信を行う受付制御（Admission Control ）を行っている。
【０００７】
なお、特許文献２は、セルラシステムにおけるＨＳＤＰＡ（High Speed Downlink Packet Access ）方式において、高速ダウンリンク共用チャネル（ＨＳＤＳＣＨ：High Speed Downlink Shared Channel）を用いた場合に、無線リソースの効果的使用方法を開示している。
【０００８】
【特許文献１】特開２００６−２５４１７９号公報
【特許文献２】特表２００５−５２５７４３号公報
【非特許文献１】3GPP TS25.346 V.6.8.0(2006-06), 3rd Generation Partnership Project; Technical Specification Group Radio Access Network; Introduction of the Multimedia Broadcast Multicast Service (MBMS) in the Radio Access Network (RAN); Stage 2 (Release 6)
【発明の開示】
【発明が解決しようとする課題】
【０００９】
上述のように、ＭＢＭＳサービス提供地域内において、多数のセルにおいて同時にＭＢＭＳデータ送信を行うようになっているが、ＭＢＭＳデータ送信が上記の受付制御によって拒否されたセルでは、ＭＢＭＳデータ送信を行うことができず、そのセルの移動局はＭＢＭＳデータを受信できないことになる。
【００１０】
この問題に対して、特許文献１の技術においては、音声サービスのトラヒックに応じてＭＢＭＳデータの送信電力を制御する方法が開示されている。具体的には、音声サービスのトラヒックがしきい値を超える場合に、ＭＢＭＳデータの送信電力を、通常の２／３などの一定比率に減少させた値に変更する方法が開示されている。
【００１１】
しかし、この方法では、ＭＢＭＳデータ送信が受付制御によって拒否されない場合や、セル負荷が受付制御のしきい値を僅かに超える場合にも、ＭＢＭＳデータの送信電力を一定比率で減少させるため、ＭＢＭＳデータ受信可能地域の割合が大きく低下するという問題がある。また、ＭＢＭＳデータの送信電力を一定比率で減少させても、セル負荷が僅かに受付制御のしきい値を超えた場合にも、ＭＢＭＳデータ送信ができないため、やはりＭＢＭＳデータ受信可能地域の割合が低下するという問題もある。
【００１２】
そこで、本発明は上記の点に鑑みてなされたものであって、その目的とするところは、ＭＢＭＳデータ受信可能地域が最大となるようにＭＢＭＳのデータ送信を行うようにしたデータ送信方法及びそれを用いたセルラシステムを提供することにある。
【課題を解決するための手段】
【００１３】
本発明によるデータ送信方法は、複数のセルの各々において、基地局が所定の伝送速度で複数の移動局に同一のデータを送信するセルラシステムのデータ送信方法であって、前記データ送信により前記セルにおけるリソース消費レベルが所定のしきい値を超えるときには、前記データ送信に使用するリソースを、前記リソース消費レベルが前記所定のしきい値と等しくなるように調整するステップと、この調整したリソースを用いて前記データ送信を行うステップとを含むことを特徴とする。
【００１４】
本発明によるセルラシステムは、複数のセルの各々において、基地局が所定の伝送速度で複数の移動局に同一のデータを送信するセルラシステムであって、前記データ送信により前記セルにおけるリソース消費レベルが所定のしきい値を超えるときには、前記データ送信に使用するリソースを、前記リソース消費レベルが前記所定のしきい値と等しくなるように調整する手段と、この調整したリソースを用いて前記データ送信を行う手段とを含むことを特徴とする。
【００１５】
本発明によるプログラムは、複数のセルの各々において、基地局が所定の伝送速度で複数の移動局に同一のデータを送信するセルラシステムのデータ送信方法をコンピュータに実行させるためのプログラムであって、前記データ送信により前記セルにおけるリソース消費レベルが所定のしきい値を超えるときには、前記データ送信に使用するリソースを、前記リソース消費レベルが前記所定のしきい値と等しくなるように調整する処理と、この調整したリソースを用いて前記データ送信を行う処理とを含むことを特徴とする。
【発明の効果】
【００１６】
本発明によれば、データ送信を行った場合のリソース消費レベルが所定のリソース消費レベルしきい値と等しくなるので、そのデータ送信が受付制御により拒否されることがなくなり、また、リソース消費レベルしきい値の範囲内で最大限にリソースを使用してデータ送信を行うことになるので、そのデータの受信可能地域が最大になるという効果がある。
【００１７】
また、本発明によれば、複数のセルの間で同じ無線周波数を用いて同時にデータ送信を行い、移動局は、複数のセルから送信されるデータを受信し、ダイバーシチ合成するが、データ送信が実行されやすくなるため、ダイバーシチ合成によるデータ受信品質改善効果が得られやすく、データの受信可能地域が最大になるという効果がある。
【００１８】
更に、本発明によれば、使用可能なリソースが所定の下限値未満の場合には、データ送信を行わないので、使用可能なリソースでデータ受信可能地域の改善が余り期待できないときに、無駄にリソースを消費せず、隣接する他のセルへの干渉電力が減少するために、他のセルでのデータ受信品質が改善され、データの受信可能地域が最大になるという効果がある。
【発明を実施するための最良の形態】
【００１９】
次に、本発明の実施例について図面を参照して説明する。図１は本発明の第一の実施例のセルラシステムの構成図である。このセルラシステムは、基地局１〜２と、これら基地局１，２がそれぞれカバーするセル３，４と、基地局１，２に接続されたＲＮＣ５と、移動局６〜８とを含んで構成されている。このセルラシステムは、この他に多数の基地局と移動局とを含むが、簡単化のために図示は省略している。
【００２０】
このセルラシステムにおいて、基地局１はセル３において、基地局２はセル４において、個別チャネルＤＰＣＨを用いて、音声通信サービスやパケット通信サービスを、複数の移動局に提供すると共に、ＳＣＣＰＣＨを設定して、同一データ（ＭＢＭＳデータ）を複数の移動局に送信するものとする。このうち、ＭＢＭＳデータは、全てのセル３，４において、同じ無線周波数を用いて同時に送信される。また、複数のセルのＭＢＭＳデータを受信できる移動局は、それらを同時に受信してダイバーシチ合成を行うものとする。
【００２１】
図１では、移動局６〜７がＳＣＣＰＣＨにより送信されるＭＢＭＳデータを受信し、移動局８がＤＰＣＨを受信しているものとする。このうち、セル３，４の境界付近に位置する移動局７は、基地局１のセル３と基地局２のセル４において送信されているＭＢＭＳデータを受信し、ダイバーシチ合成を行っているものとする。更に、図示しないが、このセルラシステムでは、基地局は、各セルにおいて、共通パイロットチャネルＣＰＩＣＨ（Common Pilot Channel）を一定の電力で送信しており、この共通パイロットチャネルＣＰＩＣＨを用いて移動局が通信を行なうセルの決定などを行っている。
【００２２】
このセルラシステムでは、ＭＢＭＳデータ送信要求が発生した場合に、ＲＮＣ５が、セル毎にリソース消費レベルに基づいて受付制御を行って、そのデータ送信の可否を決定するようになっている。以下、このリソース消費レベルをセル負荷と呼び、セル負荷について説明する。
【００２３】
個別チャネルＤＰＣＨによる通信は、各移動局の通信要求によって発生し、その通信量によって基地局がＤＰＣＨのために送信する送信電力が変化する。また、ＭＢＭＳの通信は、ＭＢＭＳサービスを提供するサーバ（図示せず）からのデータ送信要求によって発生し、その通信量によって基地局がＭＢＭＳデータを送信するＳＣＣＰＣＨのために送信する送信電力が変化する。そのために、各セルにおける全チャネルの送信電力の合計値は、各セルにおける上記のＤＰＣＨの送信電力と、ＳＣＣＰＣＨの送信電力と、ＣＰＩＣＨの送信電力との合計値であり、この合計送信電力をセル負荷と称する。
【００２４】
なお、ＤＰＣＨの送信電力とＳＣＣＰＣＨの送信電力とは、如何なる方法で定めてもよいが、ここでは、１つのＤＰＣＨの送信電力は、移動局におけるＤＰＣＨの受信品質が一定になるように制御されており、ＳＣＣＰＣＨの送信電力は、データ送信速度毎に予め定められた一定値とする。また、セル負荷は、以上のような送信電力に限らず、送信電力の送信電力上限に対する比率や、送信中のＤＰＣＨとＳＣＣＰＣＨの数や、ＤＰＣＨの送信速度とＳＣＣＰＣＨの送信速度の合計値などによって計算してもよいものである。
【００２５】
図２は本実施例におけるＲＮＣ５の概略機能ブロック図であり、本発明と関連するブロックのみを示している。図２を参照すると、ＲＮＣ５は、基地局と１，２との通信機能を有する通信部５０１と、ＭＢＭＳデータ送信機能を有するＭＢＭＳデータ送信部５０２と、ＭＢＭＳデータ送信のための受付制御を行うＭＢＭＳデータ送信受付制御部５０３と、これら各部を制御する制御部（ＣＰＵ）５０４と、この制御部５０４の作業用ＲＡＭとして動作すると共に、制御部５０４の制御動作手順を予めプログラムとして格納したＲＯＭとして動作するメモリ５０５とを含んでいる。
【００２６】
図３は本実施例の動作を示すフローチャートであり、ＲＮＣ５が実施するＭＢＭＳデータ送信手順の例を示している。図３を参照すると、ＲＮＣ５は、先ず、ＳＣＣＰＣＨを標準電力で送信してデータ送信を行った場合のデータ送信開始後の合計送信電力を計算する（ステップＳ２１）。この標準電力は、各セルにおけるデータ受信可能地域の割合が所定の設計基準値を満足できるように予め設定しておく。
【００２７】
合計送信電力は、各セルにおいて、隣接するセルと同時にデータ送信を開始することによって、共通チャネル（ＣＰＩＣＨ，ＳＣＣＰＣＨ）の送信電力が増える割合に比例して増加することから、以下のように計算される。
Ｐ_total＝（Ｐ_cpich＋Ｐ_sccpch ＋Ｐ_dpch ）
＊｛（Ｐ_cpich＋Ｐ_sccpch ＋ΔＰ_sccpch_std ）
／（Ｐ_cpich＋Ｐ_sccpch ）｝  ……（１）
【００２８】
（１）式において、Ｐ_totalは合計送信電力を、Ｐ_cpichはＣＰＩＣＨの送信電力を、Ｐ_dpch はＭＢＭＳデータ送信追加前のＤＰＣＨの送信電力を、Ｐ_sccpch はＭＢＭＳデータ送信追加前のＳＣＣＰＣＨの送信電力を、ΔＰ_sccpch_std はＭＢＭＳデータ送信のための標準電力を、それぞれ示している。
【００２９】
そして、その合計送信電力が所定のしきい値以下であれば、割当電力に標準電力を設定し、その割当電力でデータ送信を行う（ステップＳ２２，Ｓ２３，Ｓ２７）。また、合計送信電力が所定のしきい値を超えていれば、割当可能電力を計算する（ステップＳ２４）。この割当可能電力は、その割当可能電力でデータ送信を行った場合の合計送信電力が合計送信電力しきい値と等しくなる値であり、以下のように計算される。
【００３０】
Ｐ_th ＝（Ｐ_cpich＋Ｐ_sccpch ＋Ｐ_dpch ）
＊｛（Ｐ_cpich＋Ｐ_sccpch ＋ΔＰ_sccpch_available ）
／（Ｐ_cpich＋Ｐ_sccpch ）｝  ……（２）
【００３１】
（２）式において、Ｐ_th は合計送信電力しきい値を、ΔＰ_sccpch_available はＭＢＭＳデータ送信のための割当可能電力を、それぞれ示している。
（２）式より、割当可能電力は次のように求めることができる。
ΔＰ_sccpch_available ＝Ｐ_th ＊（Ｐ_cpich＋Ｐ_sccpch ）
／（Ｐ_cpich＋Ｐ_sccpch ＋Ｐ_dpch ）
−（Ｐ_cpich＋Ｐ_sccpch ）  ……（３）
【００３２】
この（３）式で示される割当可能電力が最小電力以上であれば、割当電力に割当可能電力を設定し、その割当電力でデータ送信を行う（ステップＳ２５，Ｓ２６，Ｓ２７）。ここで、最小電力は、最小電力でデータ送信を行ったセルにおけるデータ受信可能地域の割合が所定の設計基準値（例えば、５０％）を満足できるように予め設定しておく。なお、ステップＳ２５において、割当可能電力が最小電力未満であれば、そのデータ送信を行わない。
【００３３】
このようにして、ＲＮＣ５は、標準電力でデータを送信しても合計送信電力がしきい値を超えない場合に、標準電力でデータ送信を行い、合計送信電力がしきい値を超える場合には、割当電力が最小電力以上となるときに限って、合計送信電力がしきい値と等しくなる割当可能電力でデータ送信を行う。
【００３４】
次に、本発明の第二の実施例について説明する。本実施例によるセルラシステムは、移動通信システムの標準化団体である３ＧＰＰ（3rd Generation Partnership Project）にて検討されているＬＴＥ（Long Term Evolution ）ネットワークに準拠したものである。本例では、先の第一の実施例のＲＮＣ５の代わりに、ゲートウェイ装置（ＧＷ）１５が設けられており、基地局１１〜１２はＧＷ１５に接続されている。また、基地局１１〜１２は、第一の実施例のＲＮＣ５に相当する機能を有しており、ＬＴＥでは、ｅＮｏｄｅＢと称されている。なお、その他は、第一の実施例と同じであり、図１と同等部分は同一符号により示している。
【００３５】
このセルラシステムでは、下り回線の無線アクセス方式として、ＯＦＤＭＡ（Orthogonal Frequency Division Multiple Access ）方式が用いられており、セルラシステムに割り当てられている周波数帯域を複数の周波数帯域（ＲＢ：Resource Blockと称される）に分割して、基地局と移動局との間で通信を行うために、各ＲＢを所定の時間単位で割り当てて、各セルにおいて多数の移動局が音声の通信やパケットの通信ができるようになっている。
【００３６】
基地局は、各ＲＢでデータを送信する際に、その送信電力を制御してもよいが、本実施例では、その送信電力は一定とし、チャネル品質に応じて、変調方式と通信路符号化の符号化率の組合せ（ＭＣＳ：Modulation and Coding Schemes ）を適応的に変更することにより、情報ビット当たりの送信電力を変更し、所定の無線リソースを用いて最大限の伝送速度でデータを送信できるようにしている。従って、ＭＢＭＳデータを一定の伝送速度で送信する場合には、その送信に用いるＭＣＳによって、所定時間当りに必要なＲＢの数が決まることになる。
【００３７】
各基地局は、ＲＢの割当を決めるスケジューラを備えており、このスケジューラは、送信時間単位毎に、音声データ、パケットデータ及びＭＢＭＳデータの送信用に用いるＲＢの割当を決定する。図５は、その割当の一例を示す図である。図５には、所定の信号パターンを送信する共通パイロットの送信用のＲＢも含んでいる。これは、移動局が通信を行うセルの決定などに用いるものである。
【００３８】
図５において、縦軸はＲＢの番号を示し、横軸は時間を示しており、送信時間単位で、ＲＢの割当状態が変更されていることを示している。なお、図において、横線は共通パイロット送信に使用中のＲＢを、縦線は音声データ送信に使用中のＲＢを、格子状はパケットデータ送信に使用中のＲＢを、斜線はＭＢＭＳデータ送信に使用中のＲＢを、白抜きは非使用中のＲＢを、それぞれ示している。
【００３９】
図４のセルラシステムにおいて、基地局１１はセル３において、基地局１２はセル４において、スケジューラにより割り当てられたＲＢを用いて音声通信サービスやパケット通信サービスのための個別データ（Dedicated Data）を複数の移動局に提供すると共に、所定のＲＢを用いて同一のデータ（ＭＢＭＳデータ）を複数の移動局に送信する。図４では、移動局６〜７がＭＢＭＳデータを受信し、移動局８が個別データを受信しているものとする。このうち移動局７は、基地局１１のセル３と基地局１２のセル４において送信されているＭＢＭＳデータを受信し、ダイバーシチ合成を行っているものとする。
【００４０】
ＭＢＭＳデータ送信要求が発生した場合には、各セルのリソース消費レベルに基づいて受付制御（Admission Control ）を行って、そのデータ送信の可否を決定する。本実施例では、このリソース消費レベルとして、平均ＲＢ使用率を用いる。平均ＲＢ使用率は、各時点までの一定の平均化期間内におけるＲＢの使用率（全ＲＢのうち使用中のＲＢの割合）である。
【００４１】
図６は、本実施例による基地局１１，１２の概略機能ブロック図であり、本発明と関連するブロックのみを示している。図６を参照すると、基地局は、基地局ゲートウェイ１５との通信機能を有する通信部１０１と、移動局との通信機能を有する無線通信部１０２と、前述のスケジューラ１０３と、ＭＢＭＳデータ送信機能を有するＭＢＭＳデータ送信部１０４と、ＭＢＭＳデータ送信のための受付制御を行うＭＢＭＳデータ送信受付制御部１０５と、これら各部を制御する制御部（ＣＰＵ）１０６と、この制御部１０６の作業用ＲＡＭとして動作すると共に、制御部１０６の制御動作手順を予めプログラムとして格納したＲＯＭとして動作するメモリ１０７とを含んでいる。
【００４２】
図７は、本実施例による基地局におけるＭＢＭＳデータ送信手順を示すフロー図である。図７を参照すると、基地局は、先ず、標準ＭＣＳを用いてデータ送信を行った場合のデータ送信開始後の平均ＲＢ使用率を計算する（ステップＳ５１）。標準ＭＣＳは、各セルにおけるデータ受信可能地域の割合が所定の設計基準値を満足できるように予め設定しておく。標準ＭＣＳを用いたデータ送信開始後の平均ＲＢ使用率は、直前の平均ＲＢ使用率に、標準ＲＢ数を全ＲＢ数で除した値を加えて計算する。標準ＲＢ数は、標準ＭＣＳを用いてＭＢＭＳデータ送信を行うために必要なＲＢ数である。
【００４３】
そして、その平均ＲＢ数が所定のしきい値以下であれば、割当ＲＢ数に標準ＲＢ数を設定し、標準ＲＢ数のＲＢを用いてデータ送信を行う（ステップＳ５２，Ｓ５３，Ｓ５７）。平均ＲＢ数が所定のしきい値を超えていれば、割当可能ＲＢ数を計算する（ステップＳ５４）。割当可能ＲＢ数は、その割当可能ＲＢ数でデータ送信を行った場合の平均ＲＢ数が平均ＲＢ数しきい値と等しくなる値である。
【００４４】
この割当可能ＲＢ数が最小ＲＢ数以上であれば、割当ＲＢ数に割当可能ＲＢ数を設定し、その割当ＲＢ数でデータ送信を行う（ステップＳ５５〜Ｓ５７）。ここで、最小ＲＢ数は、最小ＲＢ数で所定のデータ伝送速度を提供するために、高い伝送速度に相当するＭＣＳを用いてデータ送信を行ったセルにおいて、データ受信可能地域の割合が所定の設計基準値（例えば、５０％）を満足できるように予め設定しておく。なお、ステップＳ５５において、割当可能ＲＢ数が最小ＲＢ数未満であれば、そのデータ送信を行わない。
【００４５】
このようにして、基地局は、標準ＭＣＳでデータを送信しても平均ＲＢ数がしきい値を超えない場合には、標準ＭＣＳでデータ送信を行い、平均ＲＢ数がしきい値を超える場合には、割当ＲＢ数が最小ＲＢ数以上となるときに限って、平均ＲＢ数電力がしきい値と等しくなる割当可能ＲＢ数でデータ送信を行うものである。
【００４６】
こうすることにより、データ送信を行った場合のリソース消費レベルが所定のリソース消費レベルしきい値と等しくなるので、そのデータ送信が受付制御により拒否されることがなくなり、また、リソース消費レベルしきい値の範囲内で最大限にリソースを使用してデータ送信を行うことになるので、そのデータの受信可能地域が最大になる。
【００４７】
また、複数のセルの間で同じ無線周波数を用いて同時にデータ送信を行い、移動局は、複数のセルから送信されるデータを受信し、ダイバーシチ合成するが、データ送信が実行されやすくなるため、ダイバーシチ合成によるデータ受信品質改善効果が得られやすく、データの受信可能地域が最大になる。
【００４８】
更には、使用可能なリソースが所定の下限値未満の場合には、データ送信を行わないので、使用可能なリソースでデータ受信可能地域の改善が余り期待できないときに、無駄にリソースを消費せず、隣接する他のセルへの干渉電力が減少するために、他のセルでのデータ受信品質が改善され、データの受信可能地域が最大になる。
【００４９】
上述した各実施例における図３や図７の動作フローは、予めその動作手順をプログラムとしてＲＯＭなどの記録媒体に格納しておき、これをコンピュータであるＣＰＵに読み取らせて実行させるように構成できることは明白である。
【図面の簡単な説明】
【００５０】
【図１】本発明の第一の実施例におけるセルラシステムの構成図である。
【図２】第一の実施例におけるＲＮＣの機能ブロック図である。
【図３】第一の実施例におけるＭＢＭＳデータ送信手順を示すフロー図である。
【図４】本発明の第二の実施例におけるセルラシステムの構成図である。
【図５】第二の実施例におけるＲＢの割当例を示す図である。
【図６】第二の実施例における基地局の機能ブロック図である。
【図７】第二の実施例におけるＭＢＭＳデータ送信手順を示すフロー図である。
【符号の説明】
【００５１】
１，２，１１，１２  基地局
３，４  セル
５  ＲＮＣ（無線ネットワーク制御装置）
６〜８  移動局
１５  ＧＷ（ゲートウェイ装置）
１０１  ＧＷとの通信部
１０２  無線通信部
１０３  スケジューラ
１０４，５０２  ＭＢＭＳデータ送信部
１０５，５０３  ＭＢＭＳデータ送信受付制御部
１０６，５０４  制御部（ＣＰＵ）
１０７，５０５  メモリ
５０１  基地局との通信部
【図１】
2008205869.tif 000003
【図２】
2008205869.tif 000004
【図３】
2008205869.tif 000005
【図４】
2008205869.tif 000006
【図５】
2008205869.tif 000007
【図６】
2008205869.tif 000008
【図７】
2008205869.tif 000009